(57)【要約】【課題】本発明は、昇降路内に点検作業台を水平に保持した状態のままで駆動用巻上機をうっかり作動させてしまうことを防止できる機械室レスエレベーター用保守点検装置を提供する。【解決手段】昇降路内壁面に対して一端が回動可能に設けられて制御盤６の下方に収納される点検作業台１０と、点検作業台１０上に設けた折り畳み自在の転落防止柵１１と、点検作業台１０を水平に保持するための作業固定棒１２と、水平に保持された状態の点検作業台１０に乗り降りするための脱着式梯子１３と、点検作業台１０が制御盤２の下方に収納されるのが解除されると駆動用巻上機７の起動回路を自動的に開放する開放手段１４とを具備する機械室レスエレベーター用保守点検装置により、達成される。【選択図】        図１
2004299796.tif 000002
【特許請求の範囲】
【請求項１】
昇降路内底側に駆動用巻上機を設けるとともに、最下階乗場の床面より上方の昇降路壁面に縦長の制御盤を取り付けてなる機械室レスエレベーターであって、その制御盤を保守点検する際に用いられる機械室レスエレベーター用保守点検装置において、昇降路内壁面に対して一端が回動可能に設けられて前記制御盤の下方に収納される点検作業台と、この点検作業台上に設けた折り畳み自在の転落防止柵と、前記点検作業台を水平に保持するための作業固定棒と、水平に保持された状態の前記点検作業台に乗り降りするための脱着式梯子と、前記点検作業台の前記制御盤下方への収納が解除されると前記駆動用巻上機の起動回路を開放する開放手段とを具備する機械室レスエレベーター用保守点検装置。
【請求項２】
前記脱着式梯子は、前記点検作業台を水平に保持された状態のときにその点検作業台に、脱着自在に設置されることを特徴とする請求項１記載の機械室レスエレベーター用保守点検装置。
【請求項３】
前記開放手段は、前記点検作業台を昇降路内壁面から離れる方向に回動すると前記駆動用巻上機の起動回路を「切」状態とし、かつ、前記点検作業台が昇降路内壁面に近づく方向に回動して前記点検作業台が昇降路内壁面に近接すると前記駆動用巻上機の起動回路を「入り」状態とする開閉器であることを特徴とする請求項１記載の機械室レスエレベーター用保守点検装置。
【請求項４】
前記作業固定棒は、折り畳み自在としたことを特徴とする請求項１記載の機械室レスエレベーター用保守点検装置。
【発明の詳細な説明】
【０００１】
【発明の属する技術分野】
本発明は、機械室レスエレベーター用保守点検装置に関するものである。
【０００２】
【従来の技術】
従来、機械室レスエレベーターでは、昇降路内底に駆動用巻上機を設け、かつ、昇降路側壁に各種のエレベーター制御を司る制御盤を取り付けるようにしていた。しかも、万一、昇降路内底に雨水等が流れ込んだ場合の対策として、駆動用巻上機を防水構造にするとともに、制御盤を最下階乗場の床面より上方の昇降路内壁面部分に取り付けるようにしていた（例えば、特許文献１参照。）。
【０００３】
【特許文献１】
特開２００２−２９３４８６号公報
（段落番号０００２〜０００５、第３図）
【０００４】
【発明が解決しようとする課題】
上記従来例では、制御盤は、最下階乗場の床面より上方の昇降路内壁面部分に位置し、しかも、各種のエレベーター制御を司る多数の電気部品等を縦方向に並べているためにその制御盤の外観形状が縦長となってしまうので、その制御盤の高さ位置が高くなってしまい、保守員が昇降路内底に立ったままで制御盤の保守点検をすることができないという問題点があった。そこで、昇降路内に点検作業台を設置することが提案されたが、その提案には、保守点検作業中の保守員が昇降路内にいる間に駆動用巻上機をうっかり作動させてしまうとその保守員が危険な状態に晒されたり、あるいは点検作業台を昇降路内に設置したままで駆動用巻上機をうっかり作動させてしまうと点検作業台や乗りかごなどを破損させてしまうという問題点があった。
【０００５】
本発明の目的は、上記の問題点を簡単な構成によって解決しえる機械室レスエレベーター用保守点検装置を提供するにある。
【０００６】
【課題を解決するための手段】
上記目的は、昇降路内底側に駆動用巻上機を設けるとともに、最下階乗場の床面より上方の昇降路壁面に縦長の制御盤を取り付けてなる機械室レスエレベーターであって、その制御盤を保守点検する際に用いられる機械室レスエレベーター用保守点検装置において、昇降路内壁面に対して一端が回動可能に設けられて前記制御盤の下方に収納される点検作業台と、この点検作業台上に設けた折り畳み自在の転落防止柵と、前記点検作業台を水平に保持するための作業固定棒と、水平に保持された状態の前記点検作業台に乗り降りするための脱着式梯子と、前記点検作業台の前記制御盤下方への収納が解除されると前記駆動用巻上機の起動回路を開放する開放手段とから構成したことにより、達成される。
【０００７】
かかる構成によれば、点検作業台を水平に保持するために、その点検作業台を回動させると、開放手段によって駆動用巻上機の起動回路が自動的に開放されて、再び、制御盤の下方にその点検作業台が収納されるまで駆動用巻上機の起動回路が開放された状態を維持する。そして、点検作業台が制御盤の下方に収納されると、駆動用巻上機の起動回路が閉成されて乗りかごや釣合重りの制御が可能な状態となる。したがって、点検作業台が制御盤の下方に収納されない限り、乗りかごや釣合重りを動かそうとしても、動かすことができないため、点検作業台を昇降路内で水平に保持したままに放置するなどの放置忘れを気づかせられるので、その放置状態のままで駆動用巻上機が作動することにより点検作業台に乗りかごが衝突してしまうことなどを阻止できる。また、点検作業台が制御盤の下方に収納されない状態で、保守員が昇降路内にいても、駆動用巻上機が作動しないので、その保守員が危険な状態に晒されることがない。
【０００８】
【発明の実施の形態】
以下、本発明を具体化した実施形態を、図１から図４にしたがって説明する。図１は機械室レスエレベーターの概略構造説明図、図２は図１の機械室レスエレベーターに制御盤の保守点検装置を設置した状態を示す概略構造説明図、図３は図２の保守点検装置における点検作業台に保守員が乗った状態を示す概略構造説明図、図４は要部分の概略電気回路図である。
【０００９】
図１において、機械室レスエレベーター１は、昇降路２と、乗りかご３と、釣合重り４と、主ロープ５と、制御盤６と、駆動用巻上機７を具備している。乗りかご３及び釣合重り４は、主ロープ５を駆動用巻上機７により移動させることで、昇降するようにしてある。制御盤６は、昇降路２の最下階乗場２Ａの床面８より上方の昇降路２の内壁面２Ｂに取り付けられる。駆動用巻上機７は、昇降路２の内底２Ｃに設けられる。制御盤６は、縦長の形状にしてある。制御盤６の下面６Ａは、最下階乗場２Ａの床面８より上方に位置している。
【００１０】
機械室レスエレベーター１の制御盤２を保守点検する際に用いられる保守点検装置９は、図２及び図３に示すように、昇降路２の内壁面２Ｂに対して一端が回動可能に設けられて制御盤２の下方に収納される点検作業台１０と、この点検作業台１０上に設けた折り畳み自在の転落防止柵１１と、点検作業台１０を水平に保持するための作業固定棒１２と、水平に保持された状態の点検作業台１０に乗り降りするための脱着式梯子１３と、点検作業台１０が制御盤２の下方に収納されるのが解除されると駆動用巻上機７の起動回路１５を自動的に開放する開放手段１４とを、少なくとも具備している。保守点検装置９は、図２に示すように、機械室レスエレベーター１の通常運転状態のときには折り畳まれて制御盤２の下方に収納される。
【００１１】
作業固定棒１２は、折り畳み自在な構造にしてある。脱着式梯子１３は、点検作業台１０を水平に保持された状態のときにその点検作業台１０に、脱着自在に取り付けられる。脱着式梯子１３を点検作業台１０に取り付けない場合には、図２に示すように、昇降路２の内底２Ｃの隅部にその脱着式梯子１３が倒して置かれる。
【００１２】
開放手段１４は、点検作業台１０を昇降路２の内壁面２Ｂから離れる方向に回動すると駆動用巻上機７の起動回路１５を「切」状態とし、かつ、点検作業台１０が昇降路２の内壁面２Ｂに近づく方向に回動して点検作業台１０が昇降路２の内壁面２Ｂに近接若しくは当接すると駆動用巻上機７の起動回路１５を「入り」状態とする開閉器１４Ａからなっている（図４を参照）。
【００１３】
開閉器１４Ａの接点は、図２の状態では切れ、かつ、図３の状態では入るようにしてある。すなわち、点検作業台１０を回動させて昇降路２の内壁面２Ｂから離すと開閉器１４Ａの接点が切れて駆動用巻上機７の起動回路１５が開放し、かつ、逆に点検作業台１０を回動させて昇降路２の内壁面２Ｂに近接させると開閉器１４Ａの接点が入り駆動用巻上機７の起動回路１５が閉成する。
【００１４】
上記本実施形態の保守点検装置９を用いた保守点検作業は、
（１）始めに、安全のため、保守員Ａが、機械室レスエレベーター１の主電源スイッチ（図示せず）を開放する。
【００１５】
（２）次に、昇降路２の内底２Ｃに降りた保守員Ａが保守点検装置９の転落防止柵１１を展開させて点検作業台１０の自由端部分に組立固定する。
【００１６】
（３）次に、保守点検装置９の点検作業台１０を、昇降路２の内壁面２Ｂから離れる方向に回動させた後、図３に示すように、作業固定棒１２により点検作業台１０を水平に支持する。この場合、点検作業台１０が昇降路２の内壁面２Ｂから所定距離離れると、開放手段１４の開閉器１４Ａが自動的に切れて、駆動用巻上機７の起動回路１５が開放状態となる。
【００１７】
（４）次に、水平に支持された点検作業台１０に、脱着式梯子１３を、図３に示すように、取付固定する。
【００１８】
（５）次に、点検作業台１０に固定された脱着式梯子１３を利用して保守員Ａが点検作業台１０に乗り、制御盤６の保守点検作業を行う。
【００１９】
（６）次に、制御盤６の保守点検作業が終了したならば、保守員Ａは、点検作業台１０から脱着式梯子１３を利用して昇降路２の内底２Ｃに降り、その後、その保守員Ａが脱着式梯子１３を点検作業台１０から取外して、その脱着式梯子１３を昇降路２の内底２Ｃの隅に置く。
【００２０】
（７）次に、昇降路２の内底２Ｃに降りた保守員Ａは、作業固定棒１２による点検作業台１０の支持状態を除去して、点検作業台１０を回動させてその点検作業台１０を制御盤６の下方に収納する。この時、点検作業台１０が昇降路２の内壁面２Ｂに所定距離まで近づくと、開放手段１４の開閉器１４Ａが自動的に入り、駆動用巻上機７の起動回路１５が閉成状態となる。その後、転落防止柵１１を折り畳めば、保守点検装置９が図２の状態となり、制御盤６の保守点検作業は、終了する。
【００２１】
以上、詳述した上記本実施形態例によれば下記（Ａ）から（Ｄ）に示す効果がある。
【００２２】
（Ａ）点検作業台１０を水平に支持するために、その点検作業台１０を昇降路２の内壁面２Ｂから離れる方向に回動させると、開放手段１４の開閉器１４Ａが自動的に切れて、駆動用巻上機７の起動回路１５が開放状態となるので、保守点検装置９の組立作業中及び点検作業台１０に上がって制御盤６の保守点検作業を実行中に、機械室レスエレベーター１の主電源スイッチを切り忘れたとしても、駆動用巻上機７が作動して乗りかご３あるいは釣合重り４が下降してくるようなことがなく、安全である。
【００２３】
（Ｂ）縦長の制御盤を、最下階乗場の床面より上方の昇降路壁面に取り付けても、保守員Ａが点検作業台１０に上がって、制御盤６の保守点検作業を行うことで、その保守点検作業を難なく行うことができる。
【００２４】
（Ｃ）最下階乗場の床面より上方に、制御盤６の下面が位置しているので、万一、台風などにより昇降路２内に雨水が流れ込み、昇降路２のピット内一杯に雨水が溜まったとしても、その雨水は、最下階乗場２Ａの床面８側に流れてしまい、制御盤６が昇降路２のピット内に溜まった雨水で濡れることがない。
【００２５】
（Ｄ）制御盤６の保守点検作業が終了して、保守点検装置９の点検作業台１０を、制御盤６の下方に収納すれば、自動的に駆動用巻上機７の起動回路１５が閉成されるので、便利である。
【００２６】
（Ｅ）点検作業台１０が制御盤６の下方に収納されない限り、乗りかご３や釣合重り４を動かそうとしても、動かすことができないため、点検作業台１０を昇降路２内で水平に保持したままに放置するなどの放置忘れを気づかせられるので、その放置状態のままで駆動用巻上機７が作動することにより点検作業台１０に乗りかご３が衝突してしまうことなどを阻止できる。また、点検作業台１０が制御盤６の下方に収納されない状態で、保守員Ａが昇降路２内にいても、駆動用巻上機７が作動しないので、その保守員Ａが危険な状態に晒されることがない。
【００２７】
【発明の効果】
以上のように、本発明によれば、昇降路内に点検作業台を水平に保持した状態のままで駆動用巻上機をうっかり作動させることを防止して、点検作業台や乗りかごなどを破損させてしまうことを阻止できる構造簡単な機械室レスエレベーター用保守点検装置がえられた。
【図面の簡単な説明】
【図１】本発明の一実施形態である機械室レスエレベーターの概略構造説明図である。
【図２】図１の機械室レスエレベーターに制御盤の保守点検装置を設置した状態を示す概略構造説明図である。
【図３】図２の保守点検装置における点検作業台に保守員が乗った状態を示す概略構造説明図である。
【図４】本発明の要部分の電気回路図である。
【符号の説明】
１  機械室レスエレベーター
２  昇降路
２Ａ  最下階乗場
２Ｂ  内壁面
２Ｃ  内底
３  乗りかご
４  釣合重り
５  主ロープ
６  制御盤
７  駆動用巻上機
８  床面
９  保守点検装置
１０  点検作業台
１１  転落防止柵
１２  作業固定棒
１３  脱着式梯子
１４  開放手段
１５  起動回路
Ａ  保守員
【図１】
2004299796.tif 000003
【図２】
2004299796.tif 000004
【図３】
2004299796.tif 000005
【図４】
2004299796.tif 000006